(57)【要約】  本発明は、液体薬剤を投薬する薬物送達デバイスに関し、薬物送達デバイスは：少なくとも１つのフィーダ部材（１００）を有するハウジング（１２）と、注射針（６５）、可撓管（６４）、および注射器流体カップリング（６８）を含み、注射針（６５）が可撓管（６４）を介して流体カップリング（６８）と流体連通する、使い捨ての注射器（６０）と、液体薬剤で少なくとも部分的に充填されたリザーバ（８０）を含み、リザーバ（８０）と流体連通するカートリッジ流体カップリング（９０）を含む、使い捨てのカートリッジ（７０）とを含み、ここで、注射器（６０）およびカートリッジ（７０）は、配備解除構成（４）で、ハウジング（１２）に解放可能に取り付け可能であり、ハウジング（１２）に拘束可能であり、注射器流体カップリング（６８）およびカートリッジ流体カップリング（９０）は切断され、注射器（６０）およびカートリッジ（７０）の一方は、ハウジング（１２）に取り付けられたまま、注射器（６０）およびカートリッジ（７０）の他方に対して、配備解除構成（４）から配備構成（６）に変位可能であり、配備構成にあるとき、注射器流体カップリング（６８）およびカートリッジ流体カップリング（９０）は流体連通する。
2016540580.tif 000002
【特許請求の範囲】
【請求項１】
液体薬剤を投薬する薬物送達デバイスであって：
少なくとも１つのフィーダ部材（１００）を有するハウジング（１２）と、
注射針（６５）、可撓管（６４）、および注射器流体カップリング（６８）を含み、注射針（６５）が可撓管（６４）を介して流体カップリング（６８）と流体連通する、使い捨ての注射器（６０）と、
該液体薬剤で少なくとも部分的に充填されたリザーバ（８０）を含み、該リザーバ（８０）と流体連通するカートリッジ流体カップリング（９０）を含む、使い捨てのカートリッジ（７０）とを含み、
ここで、注射器（６０）およびカートリッジ（７０）は、配備解除構成（４）で、ハウジング（１２）に解放可能に取り付け可能であり、ハウジング（１２）に拘束可能であり、注射器流体カップリング（６８）およびカートリッジ流体カップリング（９０）は切断され、
注射器（６０）およびカートリッジ（７０）の一方は、ハウジング（１２）に取り付けられたまま、注射器（６０）およびカートリッジ（７０）の他方に対して配備解除構成（４）から配備構成（６）に変位可能であり、配備構成にあるとき、注射器流体カップリング（６８）およびカートリッジ流体カップリング（９０）は流体連通する、前記薬物送達デバイス。
【請求項２】
注射器（６０）およびカートリッジ（７０）の少なくとも一方をハウジング（１２）に解放可能に締結するための構成可能な締結具（１４）をさらに含む、請求項１に記載の薬物送達デバイス。
【請求項３】
注射器（６０）およびカートリッジ（７０）の一方は、締結具（１４）によって配備解除位置（４）と配備位置（６）との間で変位可能であり、該締結具は、解放構成（１４ａ）とロッキング構成（１４ｂ）との間で構成可能である、請求項２に記載の薬物送達デバイス。
【請求項４】
締結具（１４）は、開構成（１４ｃ）と閉構成（１４ｄ）との間でハウジング（１２）に旋回可能に連結され、注射器（６０）およびカートリッジ（７０）の一方は、締結具（１４）が開構成（１４ｃ）にあるときにのみ、ハウジング（１２）に取り付け可能である、請求項３に記載の薬物送達デバイス。
【請求項５】
注射器（６０）およびカートリッジ（７０）の一方が、閉構成（１４ｄ）にある締結具（１４）によってハウジング（１２）に締結されるとき、締結具（１４）はまた、注射器（６０）およびカートリッジ（７０）の他方に係合する、請求項４に記載の薬物送達デバイス。
【請求項６】
注射器（６０）およびカートリッジ（７０）の他方は、締結具（１４）を解放構成（１４ａ）からロッキング構成（１４ｂ）へ移行することによって、配備解除位置（４）から配備位置（６）へ変位可能である、請求項５に記載の薬物送達デバイス。
【請求項７】
注射器（６０）およびカートリッジ（７０）の他方は、締結具（１４）をロッキング構成（１４ｂ）から解放構成（１４ａ）へ移行することによって、配備位置（６）から配備解除位置（４）へ変位可能である、請求項５または６に記載の薬物送達デバイス。
【請求項８】
注射器（６０）およびカートリッジ（７０）の一方は、ハウジング（１２）の案内セクション（２４）に係合するように配備方向（１）に沿って延びる線形案内部（７２）を含む、請求項１〜７のいずれか１項に記載の薬物送達デバイス。
【請求項９】
ハウジング（１２）は、注射器（６０）およびカートリッジ（７０）の他方を受けるためのレセプタクル（２０）を含み、締結具（１４）は、注射器（６０）およびカートリッジ（７０）の他方をレセプタクル（２０）内で解放可能に固定するように構成される、請求項２〜８のいずれか１項に記載の薬物送達デバイス。
【請求項１０】
締結具（１４）は、摺動部（３２）を含み、締結具（１４）は、摺動部（３２）を伸長位置（３２ａ）から後退位置（３２ｂ）に摺動可能に変位させることによって、解放構成（１４ａ）からロッキング構成（１４ｂ）に移行可能である、請求項３〜９のいずれか１項に記載の薬物送達デバイス。
【請求項１１】
締結具（１４）は、摺動部（３２）によって形成された自由端を有する旋回可能な蓋（１５）を含み、締結具（１４）の閉構成（１４ｄ）で、注射器（６０）およびカートリッジ（７０）の一方を少なくとも部分的に囲む摺動部（３２）は、伸長位置（３２ａ）から後退位置（３２ｂ）に引き込み可能であり、それによって注射器（６０）およびカートリッジ（７０）の他方を配備位置（６）に変位させる、請求項１０に記載の薬物送達デバイス。
【請求項１２】
注射器（６０）およびカートリッジ（７０）の一方は、摺動溝（５０）を含み、該摺動溝は、摺動部（３２）のそれに対応する形状の摺動ピン（３８）に係合する、請求項１０または１１に記載の薬物送達デバイス。
【請求項１３】
解放構成（４０ａ）と止め構成（４０ｂ）との間でハウジング（１２）に旋回可能なストッパ（４０）をさらに含み、ここで、該ストッパ（４０）は、配備解除位置（４）を越えて配備位置（６）の方へ向かう注射器（６０）およびカートリッジ（７０）の一方の変位を抑制するように適用される、請求項３〜１２のいずれか１項に記載の薬物送達デバイス。
【請求項１４】
摺動ピン（３８）は、締結具（１４）を閉構成（１４ｄ）に移行することによって、ストッパ（４０）に係合可能であり、該閉構成で、摺動ピン（３８）は、摺動部（３２）を後退位置（３２ｂ）の方へ変位させることによって、ストッパ（４０）を解放構成（４０ａ）に旋回させるように構成される、請求項１２または１３に記載の薬物送達デバイス。
【請求項１５】
締結具（１４）は、配備方向（１）に実質的に直交して延びる摺動溝（５０）のロック部分（５２）に摺動部（３２）の摺動ピン（３８）が係合することによって、ハウジング（１２）にロック可能である、請求項１２〜１４のいずれか１項に記載の薬物送達デバイス。
【発明の詳細な説明】
【技術分野】
【０００１】
本発明は、薬物送達デバイスの分野に関し、詳細には、患者への薬剤の制御された送達のための蠕動ポンプの分野に関する。一態様では、本発明は、使い捨てのカートリッジおよび／または使い捨ての注射器に係合する薬物送達デバイスに関する。
【背景技術】
【０００２】
患者の皮膚組織内への液体薬剤の非経口的送達は、針およびリザーバを使用するボーラス注射を投与することによって実現することができ、または重力によって駆動することができる適当な投薬器もしくは経皮パッチ技術によって連続して実現することができる。重力送りシステムは、患者の移動性および生活様式を損ない、治療は過度に単純化された流量およびプロファイルに制限される。ボーラス要件、連続注入、および可変流量送達を達成する高度な流体送達プロファイルを提供する歩行できる注入ポンプが開発されてきた。
【０００３】
歩行できるポンプシステムは、典型的には、液体薬剤を収容するリザーバを含み、注射針とある種の管構造とを含む注射アセンブリをさらに使用し、薬剤は、注入ポンプのフィーダによって、この管構造を通って輸送される。
【０００４】
特許文献１は、液体薬剤を輸送するための管を含む蠕動ポンプを開示しており、この管は、長手方向軸に沿って配置される。蠕動ポンプは、管の圧搾を引き起こすための回転可能なポンプヘッドをさらに含み、ポンプヘッドは、回転軸の周りを回転可能である。蠕動ポンプは、輸送すべき材料を保持するカートリッジまたは容器を受けるように構成されたレセプタクルをさらに含む。蠕動ポンプがポンプヘッドまたはフィーダを特徴として有する場合、蠕動ポンプのポンプヘッドまたは任意の他の流体送り構成要素が薬剤に直接接触しないように、カートリッジから注射針の方に向かうかなり気密封止された流体経路を設けることができる。このようにして、ポンプの構成要素による薬剤の汚染ならびに薬剤によるポンプの汚染を事実上回避することができる。衛生上の理由のため、ならびに患者の安全および患者の服用遵守のため、薬剤を収容する使い捨てのリザーバまたはカートリッジを使用すること、ならびに時々交換しなければならない使い捨ての流体移送構成要素（ｆｌｕｉｄ  ｔｒａｎｓｆｅｒｒｉｎｇ  ｃｏｍｐｏｎｅｎｔ）を使用することは、特に有益である。
【先行技術文献】
【特許文献】
【０００５】
【特許文献１】ＷＯ２０１３／０４１７０２Ａ１
【発明の概要】
【発明が解決しようとする課題】
【０００６】
この文脈では、薬剤リザーバから注射針の方に向かう流体経路を提供するそのような薬物送達システムの流体移送構成要素を注射器として示すことができる。衛生上の理由のため、ならびに患者の安全および服用遵守のため、カートリッジおよび注射器のかなり容易かつ直感的な交換を提供することが望ましい。さらなる目的は、使い捨てのカートリッジおよび使い捨ての注射器の明確かつ平滑に動作する流体移送相互カップリング（ｆｌｕｉｄ  ｔｒａｎｓｆｅｒｒｉｎｇ  ｍｕｔｕａｌ  ｃｏｕｐｌｉｎｇ）を提供することである。封止されたカートリッジが早まってまたは不必要に注射器に連結されないように、薬物送達デバイスが最初に動作される直前に注射器とカートリッジとの間に流体移送カップリング（ｆｌｕｉｄ  ｔｒａｎｓｆｅｒｒｉｎｇ  ｃｏｕｐｌｉｎｇ）を確立することが、かなり有益であろう。この文脈では、送達動作が薬物送達デバイスによって実行される前に液体薬剤が注射器およびその流体移送システム、たとえば流体移送管に早くも入ることを回避することが、さらに有益であろう。
【課題を解決するための手段】
【０００７】
一態様では、本発明は、液体薬剤の投薬のための薬物送達デバイスに関する。特に、薬物送達デバイスは、蠕動ポンプを含むが、この特定のタイプの送達システムに限定されるものではない。薬物送達デバイスは、典型的には流体輸送可撓管（ｆｌｕｉｄ  ｔｒａｎｓｐｏｒｔｉｎｇ  ｆｌｅｘｉｂｌｅ  ｔｕｂｅ）に係合するための回転可能なポンプヘッドの形で少なくとも１つのフィーダ部材を有するハウジングを含む。薬物送達デバイスは、注射針、可撓管、および注射器流体カップリング（ｉｎｊｅｃｔｏｒ  ｆｌｕｉｄ  ｃｏｕｐｌｉｎｇ）を含む使い捨ておよび交換可能の注射器をさらに含む。注射針は、可撓管を介して流体カップリングと流体連通する。可撓管は、注射器のベースに対する注射針の変位を可能にする。薬物送達デバイスを起動するとき、注射針は、注射による液体薬剤の非経口的送達のために、使い捨ての注射器から生物組織内へ駆動することができ、特に患者の皮膚組織内へかつ／または患者の皮膚組織を通って駆動することができる。
【０００８】
薬物送達デバイスは、液体薬剤で少なくとも部分的に充填されたリザーバを含む使い捨てのカートリッジとしてさらに含む。使い捨てのカートリッジは、リザーバと流体連通するカートリッジ流体カップリング（ｃａｒｔｒｉｄｇｅ  ｆｌｕｉｄ  ｃｏｕｐｌｉｎｇ）をさらに含む。取り外し可能な構成要素、すなわち使い捨ての注射器および使い捨てのカートリッジはどちらも、薬物送達デバイスのハウジングに解放可能に取り付け可能である。取り付け構成では、使い捨ての注射器ならびに使い捨てのカートリッジはどちらも、配備解除構成（ｕｎｄｅｐｌｏｙｅｄ  ｃｏｎｆｉｇｕｒａｔｉｏｎ）でハウジングに関して固定可能および拘束可能であり、配備解除構成で、注射器流体カップリングおよびカートリッジ流体カップリングは切断される。このようにして、使い捨てのユニット、すなわち使い捨ての注射器ならびに使い捨てのカートリッジはどちらも、流体連通することなく薬物送達デバイスに容易に取り付けることができる。注射器およびハウジングの相互作用ならびにカートリッジおよびハウジングの相互作用は、使い捨ての注射器および使い捨てのカートリッジの少なくとも一方を事前組み立て構成で維持することを可能にし、事前組み立て構成では、それぞれの構成要素は、薬物送達デバイスに連結されて取り付けられているが、薬剤、したがって薬剤リザーバはまだ薬剤の抜き出しを受けていない。
【０００９】
配備解除構成で、薬物送達デバイスは、すでに使い捨てのカートリッジおよび使い捨ての注射器が容易に取り付けられた状態で市販することができる。配備解除構成で、カートリッジは、縮められていない保管寿命を特徴として有し、したがって末端消費者または患者に渡される前に長期収納に適用可能でありかつ適している。
【００１０】
注射器およびカートリッジの少なくとも一方は、ハウジングに取り付けられてその状態を維持しながら、注射器およびカートリッジの他方に対して配備解除構成から配備構成に変位可能である。配備構成にあるとき、注射器流体カップリングおよびカートリッジ流体カップリングは流体連通して、リザーバから注射器の方に向かい、注射器の可撓管内へ、そして注射針の方に向かう薬剤の輸送を提供する。薬物送達デバイスのハウジングに対する注射器およびカートリッジの少なくとも一方の組み立ては、注射器およびカートリッジの他方に対するそれぞれの構成要素の変位を提供して、注射器およびカートリッジの一方を注射器およびカートリッジの他方に対して変位させることによる薬物送達デバイスの配備を支持する。
【００１１】
配備解除構成から配備構成の方に向かう注射器およびカートリッジの少なくとも一方の変位は、典型的には、薬物送達デバイスのハウジングとのそれぞれの構成要素の相互作用によって左右および制御される。したがって、配備手順は、薬物送達デバイスによって明確に制御することができる。
【００１２】
別の実施形態によれば、薬物送達デバイスは、注射器およびカートリッジの少なくとも一方をハウジングに解放可能に締結するための構成可能な締結具を含む。構成可能な締結具は、デバイスの締結具の構成によって注射器およびカートリッジの少なくとも一方を注射器およびカートリッジの他方に対して変位させることを可能にする。したがって、注射器およびカートリッジの少なくとも一方の配備変位は、薬物送達デバイスの構成可能な締結具によって排他的に制御および左右することができる。このようにして、最終使用者は、これらの構成要素を配備構成に移行するために、注射器およびカートリッジの一方の位置を手動で操作しなくてもよい。このようにして、使用者は、注射器およびカートリッジの少なくとも一方のかなり高度な取り扱いに注意を払うのではなく、所定の方法で構成可能な締結具を動作させ操作するだけでよいため、デバイスの操作性および取り扱いを簡略化することができる。
【００１３】
さらなる実施形態によれば、注射器およびカートリッジの少なくとも一方は、締結具によって配備解除位置と配備位置との間で変位可能である。ここで、締結具は、解放構成とロッキング構成との間で構成可能である。締結具は、注射器およびカートリッジの少なくとも一方に直接係合することができる。締結具は、配備構成を確立する目的で、注射器とカートリッジの両方に係合して、注射器およびカートリッジの少なくとも一方をハウジングに確保および固定し、注射器およびカートリッジのその一方を注射器およびカートリッジの他方に対して変位させることも考えられる。締結具の解放構成で、注射器およびカートリッジは、典型的には、配備解除構成にある。締結具を解放構成からロッキング構成へ移行することによって、注射器およびカートリッジの少なくとも一方を変位させて、配備構成を確立する。
【００１４】
注射器およびカートリッジの少なくとも一方の変位が締結具によって誘導されると同時に、締結具はまた、解放構成からロッキング構成へ移行することができ、ロッキング構成では、締結具自体ならびに注射器およびカートリッジの少なくとも一方がまた、薬物送達デバイスのハウジングに切断可能に締結される。したがって、ロッキング構成では、カートリッジおよび注射器のいずれか一方の取り外しまたは交換が締結具によって防止される。このようにして、締結具は、２重の機能を提供する。一方では、締結具は、配備構成を確立して配備構成に到達するために、注射器およびカートリッジの少なくとも一方の他方に対する変位を提供する。他方では、締結具をロッキング構成に移行することで、注射器およびカートリッジの少なくとも一方をハウジングに固定し、またはさらに、注射器およびカートリッジの少なくとも一方を受けるように適用されたハウジングのレセプタクルを閉鎖する。
【００１５】
別の実施形態に続いて、締結具は、開構成と閉構成との間でハウジングに旋回可能に連結される。ここで、注射器およびカートリッジの一方は、締結具がその開構成にあるときにのみ、ハウジングに取り付け可能である。注射器およびカートリッジの他方は、締結具のいずれの構成でも、薬物送達デバイスのハウジングに取り付け可能とすることができる。典型的には、注射器およびカートリッジの他方はまた、締結具がその開構成にあるときでも交換可能である。
【００１６】
閉構成にあるとき、締結具は、注射器およびカートリッジの少なくとも一方とのその直接的な相互作用によって、ならびに注射器およびカートリッジの他方との間接的な相互作用によって、注射器およびカートリッジの両方に係合することができる。間接的な相互作用は、注射器とカートリッジとの間の直接的な相互係合によって確立することができる。
【００１７】
さらなる態様によれば、締結具によってハウジングに直接締結されていない注射器およびカートリッジの他方は、締結具を解放構成からロッキング構成へ移行することによって、配備解除位置から配備位置へ変位可能である。言い換えれば、締結具を閉鎖することで、注射器およびカートリッジの一方を取り付けて固定することができる。閉構成にあるときに、たとえば解放構成からロッキング構成に締結具を再構成することで、次いでカートリッジおよび注射器の他方を配備解除位置から配備位置へ変位させる。ここで、締結具は、２重または２倍の機能性を提供する。締結具は、注射器およびカートリッジの一方をハウジングに取り付けて固定する働きをする一方で、締結具はまた、配備位置の方へ向かって配備位置への注射器およびカートリッジの他方の変位を提供する。
【００１８】
別の実施形態によれば、注射器およびカートリッジの少なくとも一方は、締結具をロッキング構成から解放構成へ移行することによって、配備位置から配備解除位置へ変位可能である。ここで、締結具は、注射器およびカートリッジの少なくとも一方の双方向の変位を提供することができる。締結具を解放構成からロッキング構成に変位または再構成することで、配備構成をもたらす。締結具をロッキング構成から解放構成の方へ戻すことで、特定の構成要素、注射器および／またはカートリッジを、切断された配備解除構成に戻し、この構成では、注射器およびカートリッジの流体移送カップリングが中断または破棄される。
【００１９】
このようにして、解放構成とロッキング構成との間の締結具の再構成は、注射器およびカートリッジの配備および配備解除の両方を提供する。
【００２０】
別の実施形態によれば、注射器およびカートリッジの一方、典型的には、注射器およびカートリッジのうち、薬物送達デバイスのハウジングに沿って配備解除構成から配備構成に変位可能な方は、ハウジングの案内セクションに係合するように配備方向に沿って延びる線形案内部（ｌｉｎｅａｒ  ｇｕｉｄｉｎｇ）を含む。薬物送達デバイスのハウジングおよび注射器およびカートリッジの一方のインターフェース内に線形案内部または案内セクションを設けることによって、ハウジングに対するそれぞれの構成要素、注射器またはカートリッジの明確な線形および並進運動変位を画成することができる。
【００２１】
典型的には、配備方向は、カートリッジ流体カップリングを挿入または貫通する方向に平行に延びる。このようにして、配備方向に沿ってカートリッジを注射器に対して、またはその逆に、変位させることによって、カートリッジのリザーバの内部へのアクセスを得るために、カートリッジ流体カップリングを注射器流体カップリングに事実上連結することができる。
【００２２】
別の実施形態によれば、ハウジングは、注射器およびカートリッジの一方を受けるためのレセプタクルを含む。追加として、締結具は、注射器およびカートリッジの一方をレセプタクル内で解放可能に固定するように構成される。薬物送達デバイスのハウジングのレセプタクルは、典型的には、旋回可能な締結具によって閉鎖される。締結具を閉構成に旋回させると、注射器およびカートリッジの一方を受けるためのレセプタクルは事実上閉鎖され、それによって注射器およびカートリッジの一方をハウジングに確保および固定する。閉構成で、締結具は、それでもなお解放構成とロッキング構成との間で移行可能である。閉構成にあるとき、締結具を解放構成からロッキング構成に移行することによって、薬物送達デバイスのハウジングの外側に位置する注射器およびカートリッジの他方は、カートリッジと注射器との間の流体連通を確立または中止するために、配備構成と配備解除構成との間で変位可能である。
【００２３】
さらに別の実施形態では、締結具は、摺動部を含む。ここで、締結具は、摺動部を伸長位置から後退位置に摺動可能に変位させることによって、解放構成からロッキング構成に移行可能である。典型的には、締結具は、ベース部分によって薬物送達デバイスのハウジングに旋回可能に取り付けられ、摺動部は、ベース部分に並進運動式に取り付けられる。したがって、摺動部およびベース部分は、薬物送達デバイスのレセプタクルを開放および閉鎖するための一種の伸長可能な蓋を形成する。摺動部は、締結具によって閉鎖されるレセプタクルの外側に位置するカートリッジおよび注射器の一方に開放可能に係合するように特に適用および構成される。
【００２４】
別の実施形態によれば、締結具は、摺動部によって形成された自由端を有する旋回可能な蓋を含む。締結具の閉構成にあるとき、注射器およびカートリッジの一方を少なくとも部分的に囲む摺動部は、伸長位置から後退位置に引き込み可能であり、それによって注射器およびカートリッジの他方を配備位置に変位させる。このようにして、締結具によって形成および提供される旋回可能な蓋は、注射器およびカートリッジの一方をハウジングに維持および固定しながら、注射器およびカートリッジの他方を配備構成に変位させる働きをし、配備構成では、注射器およびカートリッジの流体移送カップリングが確立される。
【００２５】
さらなる実施形態では、注射器およびカートリッジの一方は、摺動溝（ｓｌｉｄｉｎｇ  ｇｒｏｏｖｅ）を含み、摺動溝は、摺動部のそれに対応する形状の摺動ピン（ｓｌｉｄｉｎｇ  ｐｉｎ）に係合する。ハウジングに取り付けられたとき、注射器またはカートリッジの摺動溝は、配備方向に対して所定の角度で延び、摺動部は、伸長位置と後退位置との間で配備方向に沿って変位可能である。このようにして、注射器またはカートリッジの摺動溝内の少なくとも１つの摺動ピンの係合によって、それぞれの構成要素、注射器またはカートリッジを、伸長位置と後退位置との間の摺動部の変位に直交する方向に変位させることができる。追加として、その摺動ピンが注射器またはカートリッジの１つの摺動溝に係合することによる摺動部の変位は、摺動部に対するロッキング機構、したがって締結具自体に対するロッキング機構を提供することができる。
【００２６】
別の実施形態によれば、薬物送達デバイスは、解放構成と止め構成（ｓｔｏｐ  ｃｏｎｆｉｇｕｒａｔｉｏｎ）との間でハウジングに旋回可能に配置されたストッパをさらに含む。ストッパは、配備解除位置を越えて配備位置の方へ向かう注射器およびカートリッジの一方の変位を抑制するように特に適用される。ストッパは、カートリッジおよび注射器を薬物送達デバイスのハウジングに組み立てるときにカートリッジおよび注射器の早すぎる配備を事実上防止する働きをする。ここで、締結具との相互作用によって配備構成に変位させるべき注射器およびカートリッジの構成要素は、典型的には、ハウジングで旋回可能なストッパに係合する。
【００２７】
ストッパは、締結具との相互作用によって、特に締結具の摺動部の相互作用によって、かつ／または摺動部の摺動ピンによって、解放構成に旋回させられることが特に意図される。概して、ストッパは、締結具が閉構成に到達したときに、解放構成に旋回させられることが考えられる。別法として、ストッパは、締結具が閉構成にあるとき、摺動部が解放構成からロック構成に最初に移行されるときに、解放構成に旋回させられることが考えられる。それぞれの構成要素、注射器またはカートリッジを、配備解除構成から配備構成または配備位置に変位させるには、解放構成へのストッパの変位が必要とされる。概して、ストッパは、概して初期状態でストッパを止め構成で維持する働きをする戻しばねなどの戻し要素に係合することが考えられる。
【００２８】
ストッパは、配備位置または配備構成への注射器およびカートリッジの少なくとも一方の手動による変位を防止する働きをするインターロック機構を提供する。このようにして、カートリッジおよび注射器の偶発的なまたは意図しない早すぎる配備を事実上防止することができる。
【００２９】
さらなる実施形態によれば、摺動ピンは、締結具を閉構成に移行することによって、ストッパに係合可能であり、閉構成で、摺動ピンは、摺動部を後退位置の方へ変位させることによって、ストッパを解放構成に旋回させるように構成される。したがって、閉構成への締結具の旋回のため、摺動ピンは、ストッパを解放構成に変位または回転させるためにストッパにすでに係合した状態となることができる。追加または代替として、後退位置の方へ向かう摺動部の摺動変位のみによって、摺動ピンがストッパに係合してストッパを解放構成にかつ解放構成の方に向かって旋回させることが考えられる。
【００３０】
さらに別の実施形態では、締結具は、配備方向に実質的に直交して延びる摺動溝のロック部分に摺動部の摺動ピンが係合することによって、ハウジングにロック可能である。典型的には、閉構成にあるとき、したがってハウジングのレセプタクルを閉鎖したとき、摺動部は、配備方向に直交する方向に、したがって摺動溝のロック部分に平行な方向に、伸長位置と後退位置との間で変位可能である。このようにして、摺動部および摺動溝のロック部分の相互係合によって、保持力を伝達および提供することができ、この力は、配備方向に対して実質的に平行に作用する。
【００３１】
カートリッジおよび注射器が薬物送達デバイスのハウジングの横方向の側壁部分を形成し、またはそれに寄与するとき、特に有益である。このようにして、カートリッジおよび注射器は、旋回可能な締結具の自由端によって覆うことができるハウジングのコーナセクション内で係合することができる。注射器が締結具によって閉鎖されるべきレセプタクル内へ挿入可能であると仮定すると、次いでカートリッジは、締結具の摺動部の影響を受けて、配備解除構成と配備構成との間で、ハウジングに沿ってかつハウジングに対して変位可能である。
【００３２】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００３３】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００３４】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００３５】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３６】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３７】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３８】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３９】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００４０】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００４１】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００４２】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００４３】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００４４】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００４５】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４６】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４７】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４８】
薬学的に許容される溶媒和物は、たとえば、水和物である。
【００４９】
本発明の精神および範囲から逸脱することなく、様々な修正および変更を本発明に加えることができることが、当業者にはさらに明らかになるであろう。さらに、添付の特許請求の範囲で使用されるあらゆる参照番号は、本発明の範囲を限定すると解釈されるべきではないことに留意されたい。
【００５０】
以下、薬物送達デバイスに関連する使い捨ての送達アセンブリの一実施形態について、図面を参照することによってより詳細に説明する：
【図面の簡単な説明】
【００５１】
【図１】解体された使い捨てのカートリッジおよび使い捨ての注射器を有する薬物送達デバイスを示す図である。
【図２】注射器がまだ解体されている間の、薬物送達デバイスに組み立てられたカートリッジを示す図である。
【図３】図２による薬物送達デバイスの断面の拡大図である。
【図４】注射器が薬物送達デバイスのハウジング内に組み立てられている、図２による薬物送達デバイスを示す図である。
【図５】カートリッジおよび注射器の配備解除されたカップリングの拡大図である。
【図６】締結具が閉鎖されているが伸長した構成である、図５による構成を示す図である。
【図７】解放構成からロッキング構成への締結具の移行の初めに中間位置にある締結具の摺動部を示す図である。
【図８】ロッキング構成への方向により遠くに位置する締結具の摺動部を示す図である。
【図９】ロッキング構成にある締結具を示す図である。
【図１０】注射器の斜視図である。
【図１０ａ】注射針が後退した図１０による注射器の上面図である。
【図１０ｂ】注射針が伸長位置にある図１０による注射器を示す図である。
【図１２】旋回可能なストッパの分離図である。
【図１３】カートリッジの斜視図である。
【図１４】図１３によるカートリッジの分解図である。
【図１５】カートリッジの長手方向の横断面図である。
【図１６】カートリッジのベースの概略的な拡大図である。
【図１７】伸長構成にある締結具を示す図である。
【図１８】摺動部が後退位置にある締結具の斜視図である。
【図１９】締結具の様々な構成要素の分解図である。
【図２０】注射器の組み立て前の最初の構成にある薬物送達デバイスを示す図である。
【図２１】注射器が薬物送達デバイスのハウジングに組み立てられ、カートリッジが配備解除位置にある、薬物送達デバイスの側面図である。
【図２２】締結具が閉鎖されているが解放された構成にある、図２１による薬物送達デバイスを示す図である。
【図２３】締結具が閉鎖およびロッキング構成にあり、したがってカートリッジおよび注射器が配備構成にある、薬物送達デバイスを示す図である。
【図２４】図２２による構成でストッパに係合している摺動ピンの拡大図である。
【図２５】カートリッジおよび注射器が配備構成にあるときの摺動溝のロック部分内の摺動ピンの位置を示す図である。
【発明を実施するための形態】
【００５２】
図１〜４に示されている薬物送達デバイス１０は、締結具１４によって閉鎖可能なレセプタクル２０を特徴として有するハウジング１２を含み、締結具１４は、レセプタクル２０に対する蓋１５として働く。締結具１４は、ヒンジ１６によってハウジング１２に旋回可能に取り付けられる。したがって、締結具１４は、たとえば図６に示す閉構成１４ｄと図１に示す開構成１４ｃとの間で旋回可能である。開構成１４ｃで、レセプタクル２０は、たとえば図１０〜１０ｂに示す使い捨ての注射器６０を挿入するために外側からアクセス可能である。注射器６０は、図１に示すように挿入方向２に沿ってレセプタクル２０内へ挿入可能である。
【００５３】
薬物送達デバイス１０は、典型的には蠕動ポンプとして実施され、使い捨ての注射器６０および使い捨てのカートリッジ７０に解放可能に係合するように設計される。図１０に示す使い捨ての注射器６０は、ベース６１を含む。ベースは、トラック６３を特徴として有し、トラック６３を通って可撓管６４が案内される。トラック６３の領域内で、フィーダ部材１００または薬物送達デバイス１０のポンプヘッドが、可撓管６４に係合する。ここで、可撓管６４は、フィーダ部材１００によって圧搾されて、液体薬剤をカートリッジ７０のリザーバ８０から注射器６０の注射針６５の方へ輸送する。
【００５４】
注射針６５はまた、注射器６０の構成要素である。図１０ａおよび図１０ｂの比較から見ることができるように、注射針６５は、ピストン６６に取り付けられ、ピストン６６は、溝渠６７内に摺動可能に受けられる。溝渠６７の出口は、図１０ａに示す保護具６７ａによって覆われる。注射器６０を起動するとき、典型的には接着箔の形の保護具６７ａは取り外され、したがってピストン６６が溝渠６７に沿って摺動することを可能にし、それによって図１０ｂに示す伸長位置に注射針６５を前進させる。
【００５５】
典型的には、薬物送達デバイス１０のレセプタクル２０内に配置されるとき、注射針６５に対する出口を特徴として有する注射器６０のその側面は、薬物送達デバイス１０の外面またはハウジング１２の一体部材を形成する。典型的な適用シナリオでは、薬物送達デバイス１０は、たとえば患者の皮膚に接着によって取り付けられる。注射器６０を起動するとき、したがって薬物送達デバイス１０を起動するとき、注射針６５は、伸長位置に自動的に位置し、それによって液体薬剤の経皮または皮下注射のために皮膚組織を穿孔または貫通する。
【００５６】
注射針６５の反対には、注射器６０は注射器流体カップリング６８を含み、ここで注射器流体カップリング６８は、中空であるが付刃のカニューレ６８ａの形である。図１０から明らかになるように、注射器流体カップリング６８は、注射器のベース６１の側壁から延びる。付刃の注射器流体カップリング６８は、たとえば図１３に示すカートリッジ７０のカートリッジ流体カップリング９０を貫通および穿孔する働きをする。カートリッジ流体カップリング９０は、穿孔可能な封止８２を含み、穿孔可能な封止８２は、典型的には封止ディスクの形である。穿孔可能な封止８２は、液体薬剤を収容するリザーバ８０の内部と流体連通する流体チャネル８６を閉鎖する。リザーバ８０は可撓バッグ８１を含み、可撓バッグ８１は、可撓バッグ８１からの薬剤の吸引による抜き取りを可能にし、それを支持する。流体チャネル８６の出口は、穿孔可能な封止８２によって閉鎖され、穿孔可能な封止８２は、挿入物８４によってカートリッジ７０のベースの開口部内に確保される。挿入物８４は、付刃の注射器流体カップリング６８、したがってカニューレ６８ａを受けることを可能にする中心貫通口８５を含む。穿孔可能な封止８２は、典型的には、弾性材料のセプタムとして働き、セプタムは、複数回にわたって実質的な漏れを示すことなくさらに穿孔することができる。
【００５７】
カートリッジ７０は、流体チャネル８６を有しそれを形成するベース７４を特徴として有し、カートリッジ７０はまた、ハウジング７１をさらに有し、ハウジング７１は、液体薬剤に対するリザーバ８０を形成する可撓バッグ８１に対する保護シースを提供する。
【００５８】
ベース７４は、ベース７４の平面から延びるソケット７６をさらに含む。ソケット７６は、可撓バッグの開口部を閉鎖するように可撓バッグ８１内へ延びる。追加として、可撓バッグ８１およびソケット７６の相互連結を封止するために、ソケットは、環状または周囲の溝７８をその外周に含む。追加として、図１２から明らかになるように、ハウジング７１は、圧入でソケット７６に係合するためのレセプタクルを特徴として有する。ここで、ハウジング７１は、ソケット７６およびソケットの溝７８内に位置するＯリング７７の上を一周にわたって延び、それによってその間で可撓バッグ８１を圧搾および固定する。
【００５９】
このようにして、いかなる接着剤も使わず、熱エネルギーを印加することなく、ソケット７６および可撓バッグ８１の封止された相互連結を提供することができる。可撓バッグ８１とソケット７６との圧入配置を有することによって、かなり薬剤に優しい封止を提供することができる。
【００６０】
カートリッジ流体カップリング９０を形成する出口セクションは、リザーバ８０の延長にある流体チャネル８６に実質的に平行に、かつ後述する線形案内部７２に平行に、配置および配向される。このようにして、穿孔可能な封止８２は、注射器流体カップリング６８によって、したがってそのカニューレ６８ａによって、穿孔および貫通することができる。穿孔可能な封止８２を定位置で維持する挿入物８４は、外側ねじ山を含むことができ、外側ねじ山は、ベース７４の対応する開口部の内側ねじ山に係合する。別法として、挿入物は、ベース７４内で圧入または圧搾される。
【００６１】
図１６にさらに示すように、ソケット７６の前面７５は、前面７５を横切って外周の方へまたはその外縁部へ延びるいくつかの溝７９を含む。これらの溝７９はすべて、中心流体チャネル８６と合流する。可撓バッグ８１は可撓性材料から作られるため、液体薬剤をリザーバ８０から抽出するとき、その一部分は前面７５の一部分に当接することができることが考えられる。ここで、溝７９は、流体チャネル８６に一致する前面７５の部分が遮断された場合、または可撓バッグ８１の内向き部分に当接した場合でも、相当な流体の流れを提供する。
【００６２】
図１および図２から明らかになるように、使い捨ての注射器６０および使い捨てのカートリッジ７０は、薬物送達デバイス１０のハウジング１２に別個に解放可能に係合可能である。この目的のため、カートリッジ７０は、たとえばその長手方向に延びるハウジング７１に位置する長手方向の溝の形の線形案内部７２を含み、線形案内部７２は、図１に示すように、ハウジング１２の側壁部分に位置するそれに対応した形状の案内セクション２４に係合する。カートリッジ７０の線形案内部７２がハウジングの案内セクション２４に係合することによって、カートリッジ７０は、配備方向１に沿って薬物送達デバイスのハウジング１２に沿って変位可能である。
【００６３】
注射器６０は、カートリッジ７０の伸長に実質的に直交して延び、薬物送達デバイス１０のハウジング１２の隣接する側壁部分に位置するレセプタクル２０内に位置するように構成される。ベース６１を有する注射器６０は、嵌合構造６２を特徴として有し、嵌合構造６２は、ハウジング２０、したがって前記ハウジング２０の側壁部分２１の凹部構造２２に嵌合する。このようにして、嵌合構造６２は、ハウジング１２の外向き部分に同一平面に取り付けることができる。注射器６０の嵌合構造６２は、たとえば図４から明らかになるように、ハウジング１２の構成要素を形成することができ、薬物送達デバイス１０の外観に寄与することができる。このようにして、注射針６５は、図１０ｂに示す伸長位置で駆動することができ、それによって薬物送達デバイス１０の実質的に平面形状のハウジング１２から突出し、薬物送達デバイス１０の平面形状のハウジング部分には、薬物送達デバイス１０を患者のボディ部分に取り付けるための接着剤を装備または供給することができる。
【００６４】
図１から明らかなように、付刃カニューレ６８ａの形の注射器流体カップリング６８は、注射器６０の伸長に実質的に直交して延びる。特に、注射器流体カップリング６８およびその付刃カニューレ６８ａは、カートリッジのカートリッジ流体カップリング９０に係合するように配備方向１に延びる。
【００６５】
カートリッジ７０は、案内セクション２４を装備するハウジング１２の側面に沿って、配備方向１に沿って取り付け可能かつ変位可能である。ここで、カートリッジ７０は、旋回可能なストッパ４０に係合するまで配備方向１に変位可能である。旋回可能なストッパ４０は、図１２に分離図で示し、カートリッジ７０との相互作用は、図３に詳細に示す。旋回可能なストッパ４０は、図３に示す止め構成４０ｂと図７に示す解放構成４０ａとの間で旋回可能である。止め構成４０ｂで、ストッパ４０の止め部分４３は、カートリッジ７０のハウジング７１の止め面４８に直接当接し、その止め面は、たとえば図１３および図１４に示されている。ストッパ４０は、２つの脚部４２間に延びる軸４１に対して旋回可能であり、脚部４２は、互いに平行に配向され、軸４１およびそれぞれの止め部分と一体形成される。止め面４５を特徴として有する止め部分４３の自由端は、脚部４２の伸長に実質的に直交して延びる。軸４１から離れる方を向いている脚部の自由端は、後述するように、締結具１４の内向きに延びる案内ピン３８と係合および協働する斜め部分または斜め端４４を備える。
【００６６】
図２および図３に示す構成で、配備方向１に沿ったカートリッジ７０の変位は、実質的に配備方向１に延びる止め部分４３にカートリッジの止め面４８が係合および当接することによって制限される。カートリッジ７０と注射器６０との間の流体連通を確立するために配備方向にカートリッジ７０をさらに変位させるには、図３による図で反時計回り方向にストッパ４０を旋回させる必要がある。そのような旋回は、締結具１４を閉鎖することによって、したがってたとえば図２２に示すように閉構成１４ｄに締結具１４を旋回させることによって誘導することができる。
【００６７】
閉構成１４ｄで、締結具１４の内側部分に位置する内向きに延びる案内ピン３８は、図２４に詳細に示すように、ストッパの斜め端４４に係合する。典型的には、案内ピン３８は、締結具１４の摺動部３２から内向きに延び、摺動部３２は、締結具１４のベース部分３０に摺動可能に締結され、ベース部分３０は、ハウジング１２に旋回可能に取り付けられる。案内ピン３８とストッパ４０との係合は、締結具１４が閉構成１４ｄに到達するときにはすでに行うことができ、閉構成１４ｄで、注射器６０を受けるレセプタクル２０は、蓋状の締結具１４によって実質的に閉鎖される。別の構成では、図２４に詳細に示すように、閉構成１４ｄに到達するとき、案内ピン３８は、斜め端４４に勢いを誘導することなく、ストッパ４０の斜め端４４にちょうど接触することができる。次いで、締結具１４、特に締結具１４の自由端を形成する摺動部３２がロッキング構成１４ｂの方へ後退することのみにより、ストッパ４０は、図３による図で反時計回りにまたは図２４による図で時計回りに回転させられ、それによってカートリッジの止め面４８との係合から外れるようにストッパ４０の止め部分４３を変位させる。
【００６８】
さらに示すように、カートリッジ７０のベース７４は、締結具１４の案内ピン３８に対する溝材として働く摺動溝５０を含む。図１６によれば、摺動溝５０は、配備方向１に対して特定の角度で延びる斜め部分５４を含む。斜め部分５４は、次いで、実質的に垂直に延びるロック部分５２内へ合流する。ロック部分５２は、配備方向１に実質的に直交するが変位方向８に実質的に平行に延び、締結具１４の一部分、特に摺動部３２は、変位方向８に沿って、図２２に示す伸長位置３２ａと図２３に示す後退位置３２ｂとの間で変位可能である。
【００６９】
図１から明らかなように、カートリッジ７０のベース７４の摺動溝５０の斜め部分５４は、ロッキング方向８に反対の方向に配備方向１の方へ延びる。図５および図６に示す配備解除構成で、案内ピン３８は、ロック部分５２から離れる方を向いている摺動溝５０の斜め部分５４にちょうど入る位置にある。図３からさらに明らかになるように、斜め部分５４の入り口は、旋回可能なストッパ４０の脚部４２の斜め端４４に実質的に一致する。
【００７０】
締結具１４の変位によって、したがってロッキング方向８における締結具１４の摺動部３２の変位によって、摺動溝５０に入るとき、ロッキング方向８における案内ピン３８の最初の変位は最初に、図７に示す解放構成４０ａの方へストッパ４０を旋回させる働きをする。その後、ロッキング方向８における案内ピン３８のさらなる摺動変位は、摺動溝５０の斜め部分５４に沿って案内ピン３８を強制的に前進させ、その後、案内ピン３８は、ロッキング方向８に実質的に平行に延びる摺動溝５０のロック部分５２に到達する。
【００７１】
リザーバ８０内に収容された薬剤が抜き取られて、したがってカートリッジ７０の交換を必要とするとき、摺動部３２は、典型的には摺動部３２の自由端の外面に設けられた波形３３によって、ロッキング方向８とは反対の方向に変位させることができる。案内ピン３８はカートリッジ７０のベース７４の摺動溝５０に恒久的に係合したままであるため、解放構成１４ａへの締結具１４の摺動部３２の逆の変位はまた、配備方向１に反対の方向におけるカートリッジ７０の逆の運動および変位を招く。
【００７２】
本実施形態では、締結具１４はその摺動部３２とともに、注射器６０が解放可能に受けられる薬物送達デバイス１０のレセプタクル２０を覆って閉鎖する蓋１５として働くことが特に有益である。摺動部３２、したがって締結具１４のインターロックは、摺動部３２の案内ピン３８とカートリッジ７０の摺動溝５０との相互作用によって得られる。たとえば図２３に示すように閉構成１４ｄおよびロッキング構成１４ｂで、摺動部３２、したがって締結具１４は、その案内ピン３８とカートリッジ７０の摺動溝５０のロック部分５２との相互作用によって、ロッキング構成１４ｂでハウジング１２にインターロックされる。
【００７３】
締結具１４は、注射器６０をハウジング１２に固定することと、配備解除構成４と配備構成６との間でカートリッジ７０を変位させることとによって、２倍の機能を提供するだけでなく、摺動溝５０とのその相互作用によって、締結具１４、したがってまた蓋１５をロッキング構成１４ｂでロックする働きをし、ロッキング構成１４ｂで、摺動部３２は、図２３に示すように、カートリッジのハウジング７１と実質的に同一平面になる。ここで、カートリッジ７０のハウジング７１が隣接するハウジング部分１２から延びもしくは突出することができるとすぐに、または摺動部３２が隣接して位置するカートリッジハウジング７１の外周から延びもしくは突出する場合、薬物送達デバイス１０が正確に組み立てられていないことまたは薬物送達デバイスが現在保守中であることが明白かつ疑問の余地なく使用者に示される。このようにして、カートリッジ７０および注射器６０がハウジング１２に正確に取り付けられているかどうかに関する触覚フィードバックを、使用者に与えることができる。
【００７４】
注射器６０およびカートリッジ７０の配備、したがって注射器６０およびカートリッジ７０の流体移送相互連結の確立は、薬物送達デバイス１０の締結具１４との相互作用によってのみ行うことができる。また逆の順序で、使い捨てのカートリッジ７０および使い捨ての注射器６０の切断およびデカップリングは、単に蓋１５を開放することによって提供することができる。このため、締結具１４とカートリッジとの間のインターロックは、摺動部３２をロッキング構成１４ｂから解放構成１４ａの方へ移動させることによって中止されるはずである。ここで、摺動溝５０と案内ピン３８との係合は、その配備解除位置４の方へ、したがって配備方向１に反対の方向に、カートリッジ７０の変位を誘導する。案内ピン３８が摺動溝５０を離れた後、後述するようにばね３４の羽根３６が注射器６０の上面に圧力を印加することにより、締結具１４は、所定の角度だけ自動的に持ち上げられる。これは、薬物送達デバイス１０が保守モードにあることが使用者に明白に示される。
【００７５】
蓋１５の開放するときまたはその前のカートリッジ７０および注射器６０の自動化された切断により、注射針６５から流れ出る薬剤の液滴による環境の汚染を事実上回避することができる。またここで、カートリッジ７０および注射器６０は、相互に対応する改ざん防止部材を含み、改ざん防止部材は、配備構成６から再び配備解除構成４に移行された後にカートリッジ７０および注射器６０の再連結または再配備を回避する働きをすることが考えられる。
【００７６】
たとえば図２０に示すように薬物送達デバイス１０は、蠕動ポンプとして設計および実施される。薬物送達デバイス１０はフィーダ部材１００を含み、フィーダ部材１００は、ここでは、可撓管６４に係合して薬物送達のために可撓管６４を圧搾する回転可能なポンプヘッドの形である。追加として、薬物送達デバイス１０は、典型的には電池の形のエネルギー源（図示せず）を含む。さらに、薬物送達デバイス１０は、注射駆動部１０４を含み、注射針６５は、注射駆動部１０４によって溝渠６７に沿って変位させることができる。注射駆動部１０４によって、注射針６５は、最初の位置から図１０ｂに示す伸長位置に変位させることができる。同様に、注射駆動部１０４は、延びた注射針６５を後退させる働きをすることができる。追加として、蠕動ポンプ１０は、薬物送達中および薬物送達のためにポンプヘッド、したがってフィーダ部材１００を回転状態に設定するための送達駆動部１０６を含む。
【００７７】
旋回可能な締結具１４は、２つの部分、すなわちベース部分３０を含み、締結具１４は、ベース部分３０によって、ヒンジ１６を介してハウジング１２に旋回可能に取り付けられる。締結具１４は、ベース部分３０に取り付けられた摺動部３２を含み、摺動部３２は、蓋１５を事実上提供する締結具１４の自由端を形成する。
【００７８】
摺動部３２およびベース部分３０は、図１９に示す平面のばね３４によって相互連結される。ばね３４は、摺動部３２の内向き部分に位置する２つの凹部３５ａ、３５ｂに係合するための掛止部分３５を含む。図２２および図２３に示すように、遠位凹部３５ｂまたは近位凹部３５ａに係合する掛止部分３５によって、ベース部分３０ならびにヒンジ１６およびピボット軸１８に対する摺動部３２の径方向位置を修正することができる。ばね３４およびその掛止部分３５によって、摺動部３２は、図２１に示す伸長構成から図２０に示す後退位置３２ｂに移行することができる。
【００７９】
掛止部分３５と凹部３５ａ、３５ｂの１つとの相互作用によって、摺動部３２は、伸長位置３２ａまたは後退位置３２ｂでインターロックすることができる。追加として、ばね３４はまた、２つの羽根３６を含み、２つの羽根３６は、ばね３４の平面から角度をなして延び、締結具１４がその閉構成１４ｄにあるときはレセプタクル２０内へ延びる。羽根３６は、注射器６０をレセプタクル２０内でしっかり着座させて固定した状態で維持するために、注射器６０上へ特定の圧力を提供する。摺動部３２は、注射器６０、特にカートリッジのベース７４に対して、一種のＵ字状のレセプタクルを形成する。締結具１４を閉鎖することによって、したがって締結具１４を閉構成１４ｄに移行および旋回することによって、摺動部３２はその伸長位置３２ａに入り、締結具１４はまた、図２２に示す解放構成１４ａに入る。
【００８０】
図１〜２５に示す本実施形態は、注射器６０がレセプタクル２０内に締結され、カートリッジ７０は排他的に、締結具１４の摺動部３２とのその相互作用によって配備解除構成４と配備構成６との間で変位可能であるという本発明の概念を特に実証する。概して、実際にはカートリッジ７０が、ハウジング１２に固定して取り付け可能であり、注射器６０は、カートリッジ７０に対して配備解除構成４と配備構成６との間で変位可能であることが考えられる。他の実施形態では、カートリッジ７０と注射器６０がどちらも、配備解除構成４から配備構成６への移行中、ハウジング１２に対してまた互いに対して変位可能であり、その逆も同様であることがさらに考えられる。
【符号の説明】
【００８１】
１  配備方向
２  挿入方向
４  配備解除構成
６  配備構成
８  ロッキング方向
１０  薬物送達デバイス
１２  ハウジング
１４  締結具
１４ａ  解放構成
１４ｂ  ロッキング構成
１４ｃ  開構成
１４ｄ  閉構成
１５  蓋
１６  ヒンジ
１８  ピボット軸
２０  レセプタクル
２１  側壁
２２  凹部構造
２４  案内セクション
３０  ベース部分
３２  摺動部
３２ａ  伸長位置
３２ｂ  後退位置
３３  波形
３４  ばね
３５  掛止部分
３６  羽根
３８  案内ピン
４０  ストッパ
４０ａ  解放構成
４０ｂ  止め構成
４１  軸
４２  脚部
４３  止め部分
４４  斜め端
４５  止め面
４８  止め面
５０  摺動溝
５２  ロック部分
５４  斜め部分
６０  注射器
６１  ベース
６２  嵌合構造
６３  トラック
６４  可撓管
６５  注射針
６６  ピストン
６７  溝渠
６７ａ  保護具
６８  注射器流体カップリング
６８ａ  カニューレ
７０  カートリッジ
７１  ハウジング
７２  線形案内部
７４  ベース
７５  前面
７６  ソケット
７７  Ｏリング
７８  溝
７９  溝
８０  リザーバ
８１  可撓バッグ
８２  封止ディスク
８４  挿入物
８５  貫通口
８６  流体チャネル
９０  カートリッジ流体カップリング
１００  フィーダ部材
１０４  注射駆動部
１０６  送達駆動部
【図１】
2016540580.tif 000003
【図２】
2016540580.tif 000004
【図３】
2016540580.tif 000005
【図４】
2016540580.tif 000006
【図５】
2016540580.tif 000007
【図６】
2016540580.tif 000008
【図７】
2016540580.tif 000009
【図８】
2016540580.tif 000010
【図９】
2016540580.tif 000011
【図１０】
2016540580.tif 000012
【図１０ａ】
2016540580.tif 000013
【図１０ｂ】
2016540580.tif 000014
【図１２】
2016540580.tif 000015
【図１３】
2016540580.tif 000016
【図１４】
2016540580.tif 000017
【図１５】
2016540580.tif 000018
【図１６】
2016540580.tif 000019
【図１７】
2016540580.tif 000020
【図１８】
2016540580.tif 000021
【図１９】
2016540580.tif 000022
【図２０】
2016540580.tif 000023
【図２１】
2016540580.tif 000024
【図２２】
2016540580.tif 000025
【図２３】
2016540580.tif 000026
【図２４】
2016540580.tif 000027
【図２５】
2016540580.tif 000028
【国際調査報告】
2016540580.tif 000029
2016540580.tif 000030
2016540580.tif 000031